(57)【要約】【課題】本発明は、まず、その構成に枢接構造がないとしても、ショックアブソーバーが、従来よりかなり長い伸縮行程を有するように介入され得る自転車フレームを提供する。  また、ショックアブソーバーが介入された前記自転車フレームを提供する。  そしてまた、前記自転車フレームを備えた自転車を提供する。【解決手段】本発明は、まず、シートパイプを境に前フレームと後フレームに分けられた自転車フレームにおいて、前記前フレームと前記後フレームとは、下連結部及び上連結部を有し、前記下連結部は、前記シートパイプの下端に設けてあるボトムブラケットシェルからなっており、前記上連結部は、前記前フレームの方と前記後フレームの方とが前記シートパイプを避けるように連結してなっていることを特徴とする自転車フレームを提供し、そしてまた、該自転車フレームを利用したショックアブソーバー付き自転車フレーム及び自転車を提供する。【選択図】図３
2009262921.tif 000002
【特許請求の範囲】
【請求項１】
シートパイプを境に前フレームと後フレームに分けられた自転車フレームにおいて、
前記前フレームと前記後フレームとは、下連結部及び上連結部を有し、
前記下連結部は、前記シートパイプの下端に設けてあるボトムブラケットシェルからなっており、
前記上連結部は、前記前フレームの方と前記後フレームの方とが前記シートパイプを避けるように連結してなっていることを特徴とする自転車フレーム。
【請求項２】
シートパイプを境に前フレームと後フレームに分けられた自転車フレームにおいて、
前記前フレームと前記後フレームとは、下連結部及び上連結部を有し、
前記下連結部は、前記シートパイプの下端に設けてあるボトムブラケットシェルからなっており、
前記上連結部は、前記前フレームの方と前記後フレームの方とが前記シートパイプを避けるように連結してなっており、
また、前記上連結部にショックアブソーバーが介在していることを特徴とする自転車フレーム。
【請求項３】
前記後フレームは、左右一対のシートステーと左右一対のチェーンステーとを有し、そのうち、左右両方のそれぞれにあるシートステーとチェーンステーとも後端が互いに連結する上、シートステーが上方にあり、チェーンステーが下方にあるようになっており、
また、前記左右一対のチェーンステーの前端はいずれも前記ボトムブラケットシェルに連結しており、前記左右一対のシートステーの前端はそれぞれ前記シートパイプの左右一側を通り過ぎてから互いに結合して前記上連結部の一部となっていることを特徴とする請求項２に記載の自転車フレーム。
【請求項４】
前記前フレームは、ハンドルパイプと、ダウンパイプと、トップパイプとを有し、
前記ハンドルパイプは、前記前フレームの前頭になっており、
前記ダウンパイプは、前端が前記ハンドルパイプに連結し、後端が前記ボトムブラケットシェルに連結しており、
前記トップパイプは、前端が前記ハンドルパイプに連結していることを特徴とする請求項３に記載の自転車フレーム。
【請求項５】
前記トップパイプの後端は、後方へ延びるうちに、上方に分岐してなった上端部と、引き続いて後方へ延びてなった下端部との二部分になり、
前記上端部は、前記シートパイプと連結しており、
前記下端部は、前記ショックアブソーバーを介して前記左右一対のシートステーの前端と連結して前記上連結部となっていることを特徴とする請求項４に記載の自転車フレーム。
【請求項６】
前記左右一対のシートステーは、その前後に沿っている中線が前記下端部を介して前記トップパイプと線排列になるように配置構成されていることを特徴とする請求項５に記載の自転車フレーム。
【請求項７】
前記トップパイプの後端は、後方へ延びるうちに、下方に分岐してなった下端部と、引き続いて後方へ延びてなった上端部との二部分になり、
前記上端部は、前記シートパイプと連結しており、
前記下端部は、前記ショックアブソーバーを介して前記左右一対のシートステーの前端と連結して前記上連結部となっていることを特徴とする請求項４に記載の自転車フレーム。
【請求項８】
前記ショックアブソーバーは、前後両端を有し、その前端は枢接で前記トップパイプの前記下端部と連接していることを特徴とする請求項７に記載の自転車フレーム。
【請求項９】
前記ダウンパイプの後端は、後方へ延びるうちに、上方に分岐してなった上端部と、引き続いて後方へ延びてなった下端部との二部分になり、
前記下端部は、前記ボトムブラケットシェルと連結しており、
前記上端部は、前記ショックアブソーバーを介して前記左右一対のシートステーの前端と連結して前記上連結部となっていることを特徴とする請求項４に記載の自転車フレーム。
【請求項１０】
前記ショックアブソーバーは、前後両端を有し、その前端は、枢接で前記上端部と連接しており、その後端は、金具を介して前記左右一対のシートステーの互いに結合している前端に枢接されていることを特徴とする請求項９に記載の自転車フレーム。
【請求項１１】
請求項１〜請求項１０のいずれか一項に記載の自転車フレームを備えた自転車。
【発明の詳細な説明】
【技術分野】
【０００１】
本発明は、自転車フレーム及びそれを備えた自転車に関し、特に、ショックアブソーバー付き自転車における自転車フレームの構造に関する。
【背景技術】
【０００２】
従来の自転車には、例えば、図１に示すように、後フレーム１２におけるシートステー１２２がショックアブソーバー１３を介してシートパイプ１１３に連結されており、また、チェーンステー１２１が回動可能にボトムブラケットシェル１１５に枢接されている、いわゆるショックアブソーバー付き自転車がある。
【０００３】
この従来のショックアブソーバー付き自転車における後フレーム１２は、自転車が走っている際、ボトムブラケットシェル１１５を軸として上下回動しながら、ショックアブソーバー１３の伸縮で後輪（図示せず）から伝わってくる振動を吸収する機能を有するが、後フレーム１２がボトムブラケットシェル１１５を軸として上下回動可能になっているので、自転車フレーム全体は、低剛性になり、走っている際、地面による振動に応じて激しく揺れ、操作性が悪くなる、という欠点がある。
【０００４】
もちろん、前記チェーンステー１２１とボトムブラケットシェル１１５との間の枢接に代えて溶接などによる固定構造を採用し、振動吸収構成としてショックアブソーバー１３だけを使用することも考えられるが、そうすると、ショックアブソーバー１３は、ほぼ剛性構造となる後フレーム１２におけるチェーンステー１２１に介入するようになるので、チェーンステー１２１の弾性変形可能範囲にしか伸縮できなく非常に狭くなり、即ち、伸縮行程がチェーンステー１２１だけの弾性変形可能範囲に制限されて頗る短くなり、振動吸収機能をあまり果たすことができない、という欠点もある。
【発明の概要】
【発明が解決しようとする課題】
【０００５】
本発明は、まず、その構成に枢接構造がないとしても、ショックアブソーバーが、従来よりかなり長い伸縮行程を有するように介入され得る自転車フレームを提供しようとすることを目的とする。
【０００６】
本発明は、また、ショックアブソーバーが介入された前記自転車フレームを提供しようとすることをもう一つの目的とする。
【０００７】
本発明は、そしてまた、前記自転車フレームを備えた自転車を提供しようとすることを他の一つの目的とする。
【課題を解決するための手段】
【０００８】
前記目的を達成するために、本発明は、まず、シートパイプを境に前フレームと後フレームに分けられた自転車フレームにおいて、前記前フレームと前記後フレームとは、下連結部及び上連結部を有し、前記下連結部は、前記シートパイプの下端に設けてあるボトムブラケットシェルからなっており、前記上連結部は、前記前フレームの方と前記後フレームの方とが前記シートパイプを避けるように連結してなっていることを特徴とする自転車フレームを提供し、そしてまた、該自転車フレームを利用してショックアブソーバー付き自転車フレーム及び自転車を提供する。
【０００９】
なお、本発明の好ましい実施態様として、前記上連結部にショックアブソーバーが介在しているものが挙げられる。
【発明の効果】
【００１０】
前記構成の自転車フレームにおける上連結部が、前記前フレームの方と前記後フレームの方とが前記シートパイプを避けるように連結してなっているので、ショックアブソーバーは、前記好ましい実施態様のように前記上連結部、特に、前記前フレームの方と前記後フレームの方との両方の互いに連接している機構に介入されると、その伸縮行程が、下記実施例に記載のように、連接している機構の弾性伸縮または回動伸縮可能範囲を利用することができて２倍以上長くなり、振動を吸収する性能がより発揮できる。
【図面の簡単な説明】
【００１１】
【図１】従来のショックアブソーバー付き自転車フレームの仕組みを説明する側面図である。
【図２】本発明における実施例１のショックアブソーバー付き自転車フレームの構成を示す斜視図である。
【図３】前記実施例のショックアブソーバー付き自転車フレームの側面図である。
【図４】本発明における実施例２のショックアブソーバー付き自転車フレームの側面図である。
【図５】本発明における実施例３のショックアブソーバー付き自転車フレームの側面図である。
【発明を実施するための形態】
【００１２】
以下、図２〜図５を参照しながら本発明の自転車フレーム及びそれを備えた自転車の実施例を説明する。
【実施例１】
【００１３】
図２に示すのは、本発明の実施例１である自転車フレームの斜視図であり、図３はその側面図である。
【００１４】
図示のように、本発明の自転車フレームは、従来の自転車フレームと同じく、前フレーム２と、後フレーム３と、シートパイプ４とからなっている。
【００１５】
シートパイプ４は、ほぼ立上がりとなっていて上下両端を有する上、その下端にボトムブラケットシェル５が設けられている。
【００１６】
そして、後フレーム３は、左右一対のチェーンステー３１と左右一対のシートステー３２とからなったものである。もっと詳しく説明すると、左右両方のそれぞれにあるシートステー３１１，３１２とチェーンステー３２１，３２２とも後端が互いに連結する上、シートステー３２が上方にあり、チェーンステー３１が下方にあるようになっている。
【００１７】
また、図２及び図３に示すように、左右一対のチェーンステー３１の前端は、いずれもボトムブラケットシェル５に連結しており、左右一対のシートステー３２の前端はそれぞれシートパイプ４の左右一側を通り過ぎてから互いに結合し、そしてショックアブソーバー６と連結している。
【００１８】
前フレーム２は、トップパイプ２１と、ダウンパイプ２２と、ハンドルパイプ２３とを有し、前記ハンドルパイプ２３が前フレーム２の前頭になっている。
【００１９】
ダウンパイプ２２は、前端がハンドルパイプ２３に連結し、後端がボトムブラケットシェル５に連結して下連結部Bとなっている。
【００２０】
トップパイプ２１の前端はハンドルパイプ２３に連結し、後端は、後方へ延びるうちに、上方に分岐してなった上端部２１１と、引き続いて後方へ延びてなった下端部２１２との二部分になっている。
【００２１】
その上端部２１１は、シートパイプ４の上端近くに連結しており、下端部は、ショックアブソーバー６を介して左右一対のシートステー３２の前端と連結して上連結部Ａとなっている。
【００２２】
そして、左右一対のシートステー３２は、それらの前後に沿っている中線がトップパイプ２１の下端部２１２を介してトップパイプ２１と線排列になるように配置構成されている。
【００２３】
即ち、この自転車フレームは、後輪および／または前輪（両方とも図示せず）からの振動を受けた瞬間、後フレーム３および／または前フレーム２が車体の中心であるシートパイプ４に近寄り、ショックアブソーバー６を圧縮することができるようになっている。
【００２４】
それにより、この自転車フレームは、従来の自転車フレームのボトムブラケットシェル５における枢接構造がないとしても、上連結部Ａに介入されたショックアブソーバー６の伸縮行程が前フレーム２と後フレーム３との両方の弾性伸縮範囲の合わせになり、従来よりかなり長く機能することができる。
【００２５】
即ち、本発明は、前記第１の実施例から分かるように、ボトムブラケットシェル５に枢接構造がないため、剛性が従来より高いほか、ショックアブソーバーが、従来よりかなり長い伸縮行程を有するように介入され得る自転車フレームを提供するほか、介入されたショックアブソーバーの、振動を吸収する性能がより発揮できる自転車フレーム、およびその自転車フレームを備えた自転車をも提供することができる。
【実施例２】
【００２６】
そして、図４に示すのは、本発明の第２の実施例である自転車フレームの側面図である。
【００２７】
図４を図３と比較するとわかるように、第２の実施例は、トップパイプ２１の後端も上下二端部と分岐しているが、後方へ延びるうちに、引き続いて後方へ延びてなった上端部２１１と、下方に分岐してなった下端部２１２との二部分になっている。
【００２８】
上端部２１１はシートパイプ４の上端近くに連結しており、下端部２１２は枢接でショックアブソーバー６と連結した後、このショックアブソーバー６を介して左右一対のシートステー３２の前端と連結して上連結部Ａとなっている。すなわち、第２の実施例は、第１の実施例と同じく、ショックアブソーバー６の前端がトップパイプの下端部２１２と連結している。
【００２９】
この自転車フレームは、後輪および／または前輪（両方とも図示せず）からの振動を受けた際、後フレーム３および／または前フレーム２が車体の中心であるシートパイプ４に近寄り、ショックアブソーバー６を圧縮すると同時に、必要に応じ、ショックアブソーバー６と下端部２１２との枢接点を軸として、ショックアブソーバー６を左右一対のシートステー３２と共に上または下に少々回動させ、振動を吸収することができる。
【００３０】
即ち、ショックアブソーバー６とトップパイプ２１における下端部２１２との連結が枢接であるので、ショックアブソーバー６の行程は、前フレーム２と後フレーム３両方の弾性伸縮範囲ばかりでなく、前記枢接による回動伸縮可能範囲も加わるので、振動吸収機能が一層向上できる。
【実施例３】
【００３１】
次に、図５に示すのは、本発明の第３の実施例である自転車フレームの側面図である。
【００３２】
この自転車フレームには、ダウンパイプ２２の後端が、後方へ延びるうちに、上方に分岐してなった上端部２２１と、引き続いて後方へ延びてなった下端部２２２との二部分になっている。
【００３３】
下端部２２２は、ボトムブラケットシェル５と連結しており、上端部２２１は、ショックアブソーバー６を介して左右一対のシートステー３２の前端と連結して上連結部Ａとなっている。
【００３４】
また、図面をもっと詳しく見ると、ショックアブソーバー６は、両端を有し、その前端は、枢接で前記上端部２２１と連接しており、後端は、金具３２ａを介して前記左右一対のシートステー３２の互いに結合している前端に枢接されている。
【００３５】
この自転車フレームは、後輪および／または前輪（両方とも図示せず）からの振動を受けた際、後フレーム３および／または前フレーム２が車体の中心であるシートパイプ４に近寄り、ショックアブソーバー６を圧縮すると同時に、必要に応じて、ショックアブソーバー６の両端の枢接点を軸として、ショックアブソーバー６を左右一対のシートステー３２と共に少々回動させ、振動を吸収することができる。
【００３６】
前記構成により、ショックアブソーバー６の行程は、前フレーム２と後フレーム３との両方の弾性伸縮範囲の合わせばかりでなく、前記二箇所の枢接による回動伸縮可能範囲も加わるので、振動吸収機能が一層向上できる。
【００３７】
なお、本発明は、必要がある場合、従来のように、後フレームにおける左右一対のチェーンステーの前端を、ボトムブラケットシェルに枢接しても良い。
【産業上の利用可能性】
【００３８】
叙上のように、本発明の自転車フレームは、その構成に枢接構造がないとしても、ショックアブソーバーが、従来よりかなり長い伸縮行程を有するように介入され得るので、各種のショックアブソーバー付き自転車に幅広く使われ得る。
【００３９】
それに、本発明の自転車フレームを備える自転車は、高い剛性が得られるほか、介在されたショックアブソーバーの伸縮行程が、前後フレーム自体の弾性伸縮範囲だけではなく、前後フレームとの枢接で回動伸縮可能範囲まで利用できるので、例えばマンテンバイクなどより険しい道を走る自転車としても使われ得る。
【符号の説明】
【００４０】
２  前フレーム
２１  トップパイプ
２１１  上端部
２１２  下端部
２２  ダウンパイプ
２２１  上端部
２２２  下端部
２３  ハンドルパイプ
３  後フレーム
３１  左右一対のチェーンステー
３１１，３１２  チェーンステー
３２  左右一対のシートステー
３２１，３２２  シートステー
３２ａ  金具
４  シートパイプ
５  ボトムブラケットシェル
６  ショックアブソーバー
Ａ  上連結部
Ｂ  下連結部
【図１】
2009262921.tif 000003
【図２】
2009262921.tif 000004
【図３】
2009262921.tif 000005
【図４】
2009262921.tif 000006
【図５】
2009262921.tif 000007